(57)【要約】【課題】トレーサビリティシステムを管理する管理者の管理コストや管理負担を増大させることなく、商品の履歴情報とともに商品に関連する関連商品の広告情報を提供することができるようにする。【解決手段】商品に付されているトレーサビリティコードを提示した店舗端末３１からの履歴情報の取得依頼に応じて、履歴情報提供サーバ１０は、そのトレーサビリティコードを用いて商品の履歴情報を検索し、トレーサビリティコードが示す商品に関連する関連商品を検索し、検索した関連商品の広告情報を検索処理サーバ２０が検索エンジンを用いて検索し、検索した広告情報と履歴情報を店舗端末３１に対して提供し、店舗端末３１から関連商品の購入依頼通知を受信したときに、所定の条件が成立した場合にあらかじめ関連商品に設定されている所定のサービスで使用可能なクーポンのポイントを店舗端末３１に対して付与する。【選択図】図２
2008052460.tif 000002
【特許請求の範囲】
【請求項１】
店舗端末や消費者端末などの情報端末からの依頼に応じて特定商品の履歴情報と当該特定商品に関連する関連商品の広告情報を提供する履歴情報提供システムであって、
特定商品に付されている履歴情報検索コードを提示した前記情報端末からの履歴情報取得依頼に応じて、当該履歴情報検索コードを用いて特定商品の履歴情報を検索する履歴情報検索手段と、
前記履歴情報取得依頼にて提示された履歴情報検索コードが示す前記特定商品に関連する関連商品を検索する関連商品検索手段と、
検索した関連商品の広告情報を検索エンジンを用いて検索する広告情報検索手段と、
検索した広告情報を表示する表示領域を含む前記履歴情報の履歴情報提供画面を生成し、前記情報端末に対して提供する履歴情報提供手段と、
前記情報端末から前記関連商品の購入依頼を受け付けたときに、前記特定商品を購入済みであることあるいは当該特定商品の購入依頼を同時に受け付けたことを条件に、所定のサービスを提供するサービス事業者のサービス事業範囲内で使用可能なクーポンのポイントを当該情報端末に対して付与するポイント付与手段とを備えた
ことを特徴とする履歴情報提供システム。
【請求項２】
前記ポイント付与手段は、前記ポイントとして、あらかじめ前記関連商品ごとにそれぞれ設定された関連商品ポイントを前記情報端末に対して付与する
ことを特徴とする請求項１記載の履歴情報提供システム。
【請求項３】
前記履歴情報提供手段は、前記広告情報の表示領域内での掲載順序を当該広告情報が示す前記関連商品に設定された関連商品ポイントの値によって決定し、前記履歴情報提供画面を生成する
ことを特徴とする請求項１又は２記載の履歴情報提供システム。
【請求項４】
店舗端末や消費者端末などの情報端末からの依頼に応じて特定商品の履歴情報と当該特定商品に関連する関連商品の広告情報を提供する履歴情報提供方法であって、
特定商品に付されている履歴情報検索コードを提示した前記情報端末からの履歴情報取得依頼に応じて、当該履歴情報検索コードを用いて特定商品の履歴情報を検索する履歴情報検索ステップと、
前記履歴情報取得依頼にて提示された履歴情報検索コードが示す前記特定商品に関連する関連商品を検索する関連商品検索ステップと、
検索した関連商品の広告情報を検索エンジンを用いて検索する広告情報検索ステップと、
検索した広告情報を表示する表示領域を含む前記履歴情報の履歴情報提供画面を生成し、前記情報端末に対して提供する履歴情報提供ステップと、
前記情報端末から前記関連商品の購入依頼を受け付けたときに、前記特定商品を購入済みであることあるいは当該特定商品の購入依頼を同時に受け付けたことを条件に、所定のサービスを提供するサービス事業者のサービス事業範囲内で使用可能なクーポンのポイントを当該情報端末に対して付与するポイント付与ステップとを有する
ことを特徴とする履歴情報提供方法。
【請求項５】
前記ポイント付与ステップでは、前記ポイントとして、あらかじめ前記関連商品ごとにそれぞれ設定された関連商品ポイントを前記情報端末に対して付与する
ことを特徴とする請求項４記載の履歴情報提供方法。
【請求項６】
前記履歴情報提供ステップでは、前記広告情報の表示領域内での掲載順序を当該広告情報が示す前記関連商品に設定された関連商品ポイントの値によって決定し、前記履歴情報提供画面を生成する
ことを特徴とする請求項４又は５記載の履歴情報提供方法。
【発明の詳細な説明】
【技術分野】
【０００１】
本発明は、トレーサビリティコードを検索キーとする商品の履歴照会依頼に応じて、商品の履歴情報とともに当該商品に関連する関連商品の広告情報を提供する履歴情報提供システム及び履歴情報提供方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
上述した特許文献１に記載された従来のシステムでは、商品の生産・流通履歴が提供されるが、この商品（青果物、肉、鶏卵、加工食品、調味料、飲料など）に関連する関連商品の広告情報をも提供することができれば、商品の履歴情報閲覧時に関連商品について同時に購入検討などを行うことができ、より有効にシステムを活用することが可能となる。
【０００６】
ところが、関連商品の広告情報を提供するためには、あらかじめ検索用のデータベースに各関連商品の様々な広告情報を登録しておかなければならず、システムの管理コストや管理負担が増大することになってしまうという問題があった。
【０００７】
本発明は、上述した問題を解消し、システムの管理コストや管理負担を増大させることなく、商品の履歴情報とともに商品に関連する関連商品の広告情報を提供することができる履歴情報提供システム及び履歴情報提供方法を提供することを目的とする。
【課題を解決するための手段】
【０００８】
本発明の履歴情報提供システムは、店舗端末や消費者端末などの情報端末からの依頼に応じて特定商品の履歴情報と当該特定商品に関連する関連商品の広告情報を提供する履歴情報提供システムであって、特定商品に付されている履歴情報検索コードを提示した前記情報端末からの履歴情報取得依頼に応じて、当該履歴情報検索コードを用いて特定商品の履歴情報を検索する履歴情報検索手段と、前記履歴情報取得依頼にて提示された履歴情報検索コードが示す前記特定商品に関連する関連商品を検索する関連商品検索手段と、検索した関連商品の広告情報を検索エンジンを用いて検索する広告情報検索手段と、検索した広告情報を表示する表示領域を含む前記履歴情報の履歴情報提供画面を生成し、前記情報端末に対して提供する履歴情報提供手段と、前記情報端末から前記関連商品の購入依頼を受け付けたときに、前記特定商品を購入済みであることあるいは当該特定商品の購入依頼を同時に受け付けたことを条件に、所定のサービスを提供するサービス事業者のサービス事業範囲内で使用可能なクーポンのポイントを当該情報端末に対して付与するポイント付与手段とを備えたことを特徴とする。
【０００９】
上記のように構成したことで、トレーサビリティシステムを管理する管理者の管理コストや管理負担を増大させることなく、特定商品の履歴情報とともに特定商品に関連する関連商品の広告情報を提供することができるようになる。
【００１０】
ポイント付与手段は、ポイントとして、あらかじめ関連商品ごとにそれぞれ設定された関連商品ポイントを情報端末に対して付与する構成とされていてもよい。
【００１１】
履歴情報提供手段は、広告情報の表示領域内での掲載順序を当該広告情報が示す関連商品に設定された関連商品ポイントの値によって決定し、履歴情報提供画面を生成する構成とされていてもよい。
【００１２】
さらに、本発明の履歴情報提供方法は、店舗端末や消費者端末などの情報端末からの依頼に応じて特定商品の履歴情報と当該特定商品に関連する関連商品の広告情報を提供する履歴情報提供方法であって、特定商品に付されている履歴情報検索コードを提示した前記情報端末からの履歴情報取得依頼に応じて、当該履歴情報検索コードを用いて特定商品の履歴情報を検索する履歴情報検索ステップと、前記履歴情報取得依頼にて提示された履歴情報検索コードが示す前記特定商品に関連する関連商品を検索する関連商品検索ステップと、検索した関連商品の広告情報を検索エンジンを用いて検索する広告情報検索ステップと、検索した広告情報を表示する表示領域を含む前記履歴情報の履歴情報提供画面を生成し、前記情報端末に対して提供する履歴情報提供ステップと、前記情報端末から前記関連商品の購入依頼を受け付けたときに、前記特定商品を購入済みであることあるいは当該特定商品の購入依頼を同時に受け付けたことを条件に、所定のサービスを提供するサービス事業者のサービス事業範囲内で使用可能なクーポンのポイントを当該情報端末に対して付与するポイント付与ステップとを有することを特徴とする。
【発明の効果】
【００１３】
本発明によれば、トレーサビリティシステムを管理する管理者の管理コストや管理負担を増大させることなく、特定商品の履歴情報とともに特定商品に関連する関連商品の広告情報を提供することができる。
【発明を実施するための最良の形態】
【００１４】
以下、本発明の一実施の形態について図面を参照して説明する。
図１は、本発明の一実施の形態における履歴情報提供システム１００の構成の例を示すブロック図である。図１に示すように、履歴情報提供システム１００は、履歴情報提供サーバ１０と、検索処理サーバ２０と、消費者端末３０と、店舗端末３１とを含む。
【００１５】
履歴情報提供サーバ１０、および検索処理サーバ２０は、それぞれ、例えばインターネットなどの通信ネットワーク４０に接続されている。また、履歴情報提供サーバ１０、および検索処理サーバ２０は、それぞれ、ＷＷＷサーバなどの情報処理装置によって構成される。
【００１６】
履歴情報提供サーバ１０は、例えば履歴情報提供システム１００のシステム管理者によって管理される本部サーバであり、トレーサビリティシステムにおける履歴情報の提供処理などの各種の処理を実行する。
【００１７】
履歴情報提供サーバ１０は、各商品の履歴を示す商品履歴情報を格納する商品履歴情報ＤＢ１１を備えている。商品履歴情報は、商品の生産履歴や流通履歴を示す情報であって、例えば、商品分類、商品名、商品の生産者・製造者・販売元、商品の販売者・販売店、商品の生産日・製造日、商品の生産地・製造地などの各種の情報を含む。なお、商品履歴情報ＤＢ１１は、履歴情報提供サーバ１０の内部にあっても外部にあってもよい。
【００１８】
検索処理サーバ２０は、例えば検索エンジンを利用可能なポータルサイトを運営するポータルサイト運営業者によって管理されるサーバ装置であり、検索エンジンによる検索処理に必要な検索情報を格納する検索情報ＤＢ２１を備えている。検索情報には、検索キーワードに基づき検索エンジンによって検索され得るウェブサイト情報や辞書情報、及び検索の際に参照される各サイトの閲覧数などの各種の情報を含む。本例では、検索処理サーバ２０によって検索され得る情報の少なくとも一部が、特定の商品（特定商品）に関連する関連商品の広告情報として利用される。すなわち、例えば検索情報の一部が、広告情報として利用される。ここで、特定商品とは、関連商品と商品履歴情報ＤＢ１１内において商品情報上であらかじめ紐付けされている商品（例えば、ビール）のことをいい、関連商品は、特定商品から連想され得るあるいは特定商品と組み合わせて用いられる商品（例えば、枝豆）などのことをいう。広告情報は、関連商品に関する各種広告の情報であって、例えば、その関連商品を使用したメニューのレシピや、その関連商品に関連した各種の広告、あるいはそのレシピや広告が掲載されているサイトにアクセスするための情報（具体的には、例えばＵＲＬ）などを含む。なお、検索情報ＤＢ２１は、検索処理サーバ２０の内部にあっても外部にあってもよい。
【００１９】
消費者端末３０は、例えばパーソナルコンピュータや携帯情報端末などの情報処理装置によって構成され、通信ネットワーク４０に接続するためのソフトウェア及びハードウェアを含む環境を備えているものとする。また、店舗端末３１は、商品を販売等する店舗内などに設置され、消費者端末３０と同様に、例えばパーソナルコンピュータや携帯情報端末などの情報処理装置によって構成され、商品を卸したり販売したりする店舗管理者によって管理される。なお、消費者端末３０や店舗端末３１は、いわゆるヘッドマウントディスプレイユニットによって構成されていてもよい。
【００２０】
次に、本例の履歴情報提供システム１００の動作について説明する。
ここでは、特定商品Ｘを購入した消費者Ｙが、店舗端末３１を利用して特定商品Ｘの履歴照会を行う場合を例に説明することとし、本発明に特に関わる処理以外は、説明を省略している場合があるものとする。
【００２１】
図２は、本例の履歴情報提供システム１００における履歴情報（商品履歴情報、関連商品の広告情報）提供処理の例を示すフローチャートである。履歴情報提供処理において、先ず、店舗端末３１は、消費者Ｙの操作に応じて履歴情報提供サーバ１０にアクセスする（ステップＳ１０１）。このとき、消費者Ｙは、例えばユーザカードなどを用いてユーザＩＤを履歴情報提供サーバ１０に通知する。
【００２２】
ステップＳ１０１では、例えば、特定商品Ｘを購入した店舗に付与されているＵＲＬ（Uniform Resource Locator）によりアクセスされる。なお、特定商品Ｘを製造している製造元などの他の組織や団体に付与されているＵＲＬによりアクセスされるようにしてもよい。
【００２３】
店舗端末３１からのアクセスがあると、履歴情報提供サーバ１０は、店舗端末３１を操作した消費者ＹをユーザＩＤに基づき特定し、消費者Ｙの商品購入履歴情報を商品履歴情報ＤＢ１１から読み出して、特定商品Ｘに付与されているトレーサビリティコード（商品コード）を入力するためのコード入力画面を生成し、店舗端末３１に送信する（ステップＳ１０２）。
【００２４】
店舗端末３１は、履歴情報提供サーバ１０からのコード入力画面を、自己が備える表示装置に表示する（ステップＳ１０３）。コード入力画面には、例えば図３に示すように、店舗の名称などが表示された表示領域、特定された消費者Ｙの氏名などが表示された表示領域、トレーサビリティコードを入力するためのコード入力領域、コード入力領域に入力したトレーサビリティコードにより商品履歴情報の検索を行う際に押下される検索ボタンなどが設けられている。
【００２５】
コード入力画面が表示されると、消費者Ｙは、店舗端末３１が備えるキーボードなどの入力装置を操作して、特定商品Ｘに付与されているトレーサビリティコードをコード入力領域に入力する。
【００２６】
そして、店舗端末３１は、検索ボタンの押下を受け付けると、消費者Ｙによって入力された特定商品Ｘのトレーサビリティコードを履歴情報提供サーバ１０に送信する（ステップＳ１０４）。
【００２７】
トレーサビリティコードを受信すると、履歴情報提供サーバ１０は、商品履歴情報ＤＢ１１に格納されている商品履歴情報を参照し、受信したトレーサビリティコードを用いて、特定商品Ｘの商品履歴情報を検索する（ステップＳ１０５）。具体的には、商品履歴情報ＤＢ１１に格納されている商品履歴情報の中から、トレーサビリティコード（商品コード）に対応付けされている商品履歴情報を抽出する。
【００２８】
特定商品Ｘの商品履歴情報を検索すると、履歴情報提供サーバ１０は、商品履歴情報ＤＢ１１に格納されている商品情報を参照し、受信したトレーサビリティコードが示す特定商品Ｘに関連する関連商品を検索する（ステップＳ１０６）。具体的には、商品履歴情報ＤＢ１１に格納されている商品情報の中から、トレーサビリティコードに紐付けされている関連商品を抽出する。なお、商品履歴情報ＤＢ１１内の特定商品Ｘや関連商品のそれぞれには、あらかじめ所定のサービスを提供するサービス事業者のサービス事業範囲内において使用可能なクーポンのポイントの値が設定されている。
【００２９】
関連商品を検索すると、履歴情報提供サーバ１０は、関連商品の広告情報検索キーワードを決定する（ステップＳ１０７）。本例では、履歴情報提供サーバ１０は、検索対象の広告情報に含まれる関連商品の名称や、関連商品に関係する関連ワードを抽出して、抽出したワードを広告情報検索キーワードとすることに決定する。この場合、例えば商品履歴情報ＤＢ１１に格納されている広告情報検索キーワード決定用テーブルを用いて、受信した特定商品Ｘに係るトレーサビリティコードに紐付けされている関連商品の商品名や関連ワードを抽出する。すなわち、広告情報検索キーワード決定用テーブルは、トレーサビリティコードと、そのトレーサビリティコードに紐付けされている関連商品についての広告情報検索キーワードとが対応付けされたテーブルである。
【００３０】
ステップＳ１０７では、例えば特定商品Ｘがビールであり関連商品が枝豆だったとすると、例えば、その枝豆の商品名、その枝豆が含まれている料理メニュー、その枝豆を取り扱っている販売店名や飲食店名、その枝豆の生産地、その枝豆の生産者などの関連ワードのうち一部または全部が広告情報検索キーワードとして抽出される。
【００３１】
広告情報検索キーワードを決定すると、履歴情報提供サーバ１０は、決定した広告情報検索キーワードを提示して、検索処理サーバ２０に対して広告情報の提供要求を行う（ステップＳ１０８）。
【００３２】
次いで、検索処理サーバ２０は、広告情報の提供要求に応じて、提示された広告情報検索キーワードを設定し、自己に搭載されている検索エンジンを用いて広告情報を検索する（ステップＳ１０９）。具体的には、検索情報ＤＢ２１に格納されている検索情報の中から提示された広告情報検索キーワードに基づき検索エンジンを用いて検索した情報を、広告情報として抽出する。ここでの処理は、いわゆるアンド検索であってもオア検索であってもよい。その後、検索処理サーバ２０は、検索した広告情報を履歴情報提供サーバ１０に対して送信し（ステップＳ１１０）、ここでの処理を終了する。
【００３３】
検索処理サーバ２０からの広告情報を受信すると、履歴情報提供サーバ１０は、受信した広告情報を表示する表示領域（すなわち、関連商品の広告情報を表示する表示領域）を含み、検索した特定商品Ｘの商品履歴情報を閲覧させるとともに、特定商品Ｘや関連商品の購入を選択させるための商品履歴情報閲覧画面を生成する（ステップＳ１１１）。そして、履歴情報提供サーバ１０は、生成した商品履歴情報閲覧画面を店舗端末３１に対して送信する（ステップＳ１１２）。
【００３４】
店舗端末３１は、履歴情報提供サーバ１０からの商品履歴情報閲覧画面を、自己が備える表示装置に表示する（ステップＳ１１３）。商品履歴情報閲覧画面には、例えば図４に示すように、特定商品Ｘの商品履歴情報が表示された表示領域、関連商品の広告情報が表示された表示領域、特定商品Ｘや関連商品を購入する際に押下される購入ボタン、特定商品Ｘや関連商品の購入に伴い獲得可能なポイントを表示する表示領域、ポイント照会を行う際に押下されるポイント照会ボタン、商品履歴情報の閲覧を終了する際に押下される終了ボタンなどが設けられている。すなわち、本例では、商品履歴情報閲覧画面は、特定商品Ｘや関連商品の購入を選択させるための商品購入希望選択画面でもある。
【００３５】
商品履歴情報閲覧画面が表示されると、消費者Ｙは、商品履歴情報閲覧画面に表示されている商品履歴情報を閲覧するとともに、特定商品Ｘや関連商品の購入を希望する場合は購入ボタンを押下し、ポイント照会を行う場合はポイント照会ボタンを押下し、閲覧を終了する場合は終了ボタンを押下する。ここでは、消費者Ｙが購入ボタンを押下して関連商品の購入を決定したこととする。
【００３６】
すなわち、店舗端末３１は、関連商品の購入ボタンが押下されると（ステップＳ１１４のＹ）、関連商品の購入依頼を受け付けたことを示す購入依頼通知を履歴情報提供サーバ１０に送信し、この購入依頼通知を受信した履歴情報提供サーバ１０は、関連商品に設定されている関連商品ポイントの値を計算し（ステップＳ１１５）、計算した関連商品ポイントを店舗端末３１に付与して（ステップＳ１１６）、ここでの処理を終了する。なお、関連商品ポイントの付与に関しては、店舗端末３１に対してのみならず、消費者Ｙの商品購入履歴情報に関連付けて付与するようにしてもよい。
【００３７】
また、本例では、履歴情報提供サーバ１０は、関連商品の購入依頼通知を受信したときに、消費者Ｙが既に特定商品Ｘを購入済みであることか、関連商品の購入依頼通知と同時に特定商品Ｘの購入依頼通知も受信したことなどの特定商品Ｘの購入に関する所定の条件が成立した場合に店舗端末３１に関連商品ポイントを付与する。すなわち、特定商品Ｘの購入に付随して関連商品を購入した場合に、関連商品に設定されている所定のサービスで使用可能なポイント（関連商品ポイント）を付与することによって、消費者Ｙの関連商品の購買意欲の増進を図ることができる。なお、履歴情報提供サーバ１０は、商品履歴情報閲覧画面における関連商品の広告情報の表示領域内での掲載順序を、関連商品に設定された関連商品ポイントの値によって適宜変更（例えば、ポイントの値が高い関連商品の広告情報を上位に掲載するなど）するようにしてもよい。
【００３８】
また、履歴情報提供サーバ１０は、上記ステップＳ１１５およびＳ１１６におけるポイントに関する処理において、関連商品の購入依頼通知を受信した際に、あらかじめ特定商品Ｘについても設定されている特定商品ポイントや、特定商品Ｘと関連商品との所定の組み合わせを購入したことにより発生する特別ポイントなどのポイントを付与するようにしてもよい。消費者Ｙは、このようにしてポイントが付与されることにより、店舗端末３１を操作することによって購入履歴情報にポイントを関連付けて蓄積したり、ポイントを消費して所定のサービスを受けたりすることができるようになる。
【００３９】
店舗端末３１は、ポイント照会ボタンが押下された場合は、履歴情報提供サーバ１０により計算されて付与された関連商品ポイントの値や、消費者Ｙの商品購入履歴に関連付けされた獲得済みポイントの値などを表示するポイント獲得状況確認画面を、自己が備える表示装置の表示画面上に表示するとともに、終了ボタンが押下されると（ステップＳ１１７のＹ）、ここでの処理を終了する。このとき、履歴情報提供サーバ１０に対して商品履歴情報の閲覧処理の完了を指示するための閲覧終了通知を行うようにしてもよい。
【００４０】
ポイント獲得状況確認画面は、例えば図５に示すように、ポイント獲得状況確認画面を表示していることを示す文字が表示された表示領域、消費者Ｙの氏名やユーザＩＤなどが表示された表示領域、消費者Ｙの商品の購入履歴情報が表示された表示領域、商品履歴情報閲覧画面において特定商品Ｘや関連商品の購入が行われた場合に、今回の購入に際して付与されたポイントの値が表示された表示領域、消費者Ｙがこれまでに獲得したポイントの値が表示された表示領域、ポイント獲得状況確認画面を閉じる際に押下される閉じるボタンなどが設けられている。
【００４１】
以上説明したように、上述した一実施の形態では、履歴情報提供サーバ１０が、特定商品Ｘに付されているトレーサビリティコードを提示した店舗端末３１からの履歴情報の取得依頼に応じて、そのトレーサビリティコードを用いて特定商品Ｘの履歴情報を検索するとともに、このトレーサビリティコードが示す特定商品Ｘに関連する関連商品を検索し、検索した関連商品の広告情報を検索処理サーバ２０が検索エンジンを用いて検索し、検索した広告情報とともに特定商品Ｘの履歴情報を店舗端末３１に対して提供し、提供した履歴情報と広告情報を閲覧した消費者Ｙからの関連商品の購入依頼通知を店舗端末３１から受信したときに所定の条件が成立している場合に、所定のサービスで使用可能なクーポンのポイントを店舗端末３１に付与する構成としたことで、トレーサビリティシステムを管理する管理者の管理コストや管理負担を増大させることなく、特定商品Ｘの履歴情報とともに特定商品Ｘに関連する関連商品の広告情報を提供することができるようになる。
【００４２】
すなわち関連商品の広告情報の検索を既存の検索処理サーバ２０が実行することで、トレーサビリティシステム（具体的には履歴情報提供サーバ１０）を管理する管理者は、広告情報の収集や管理を行う必要がなく、さらに広告情報の蓄積や管理のための設備構築やメンテナンスなどに関するコスト負担を負うことなく、特定商品Ｘに関連する関連商品の広告情報を消費者Ｙに提供することが可能となる。特に、検索実行元の検索処理サーバ２０が膨大な情報を検索対象としており、高性能の検索エンジンを搭載していた場合には、そのような膨大な情報の管理を自己で行うことなく、また高性能の検索エンジンを自己で備えることなく、膨大な情報の中から迅速かつ的確に関連商品の広告情報を抽出して提供することが可能となる。さらに、広告情報の検索を既存の検索処理サーバ２０が実行することで、広告情報の検索のためのトラフィックを自己で確保することなく、特定商品Ｘに関連する関連商品の広告情報を消費者Ｙに提供することが可能となる。
【００４３】
また、上述した実施の形態では、履歴情報提供サーバ１０が、店舗端末３１から送信された関連商品の購入依頼通知を受信したときに、特定商品Ｘの購入に関する所定の条件が成立する場合に、あらかじめ関連商品ごとにそれぞれ設定された関連商品ポイントを店舗端末３１に対して付与する構成としているので、消費者Ｙの関連商品の購買意欲の増進を図ることが可能となる。
【００４４】
また、上述した実施の形態では、履歴情報提供サーバ１０が、検索処理サーバ２０により検索された関連商品の広告情報の表示領域内での掲載順序を当該広告情報が示す関連商品に設定された関連商品ポイントの値によって決定し、履歴情報提供画面を生成して店舗端末３１に対して送信する構成としているので、関連商品を提供する商品生産業者（商品生産者、商品流通業者など）にとっても店舗などへの関連商品の納入時などに自己の商品を有効にアピールする機会を得ることができ、履歴情報提供システム１００を活用することが可能となる。
【００４５】
なお、上述した一実施の形態では、履歴情報提供サーバ１０が、関連商品の広告情報を表示する商品履歴情報閲覧画面を店舗端末３１に対して送信し、特定商品Ｘの履歴情報を提供する構成を例に挙げていたが、商品履歴情報閲覧画面を消費者端末３０に対して送信し特定商品Ｘの履歴情報を提供する構成とされていてもよい。この場合、履歴情報提供サーバ１０は、関連商品ポイントなどのポイントを消費者端末３０に付与するようにすればよい。また、これらの消費者端末３０や店舗端末３１は、パーソナルコンピュータなどの情報端末や、ＰＤＡあるいはヘッドマウントディスプレイユニットなどの携帯情報端末により構成されていてもよい。
【００４６】
さらに、上述した実施の形態では、履歴情報提供サーバ１０と、検索処理サーバ２０とを別個のサーバとしていたが、履歴情報提供サーバ１０と検索処理サーバ２０とが１つサーバ装置によって構成されていてもよい。
【産業上の利用可能性】
【００４７】
本発明によれば、トレーサビリティシステムを管理する管理者の管理コストや管理負担を増大させることなく、商品の履歴情報とともに商品に関連する関連商品の広告情報を提供可能とするのに有用である。
【図面の簡単な説明】
【００４８】
【図１】本発明の一実施の形態における履歴情報提供システムの構成の例を示すブロック図である。
【図２】履歴情報提供処理の例を示すフローチャートである。
【図３】コード入力画面の例を示す説明図である。
【図４】商品履歴情報閲覧画面の例を示す説明図である。
【図５】ポイント獲得状況確認画面の例を示す説明図である。
【符号の説明】
【００４９】
１０        履歴情報提供サーバ
１１        商品履歴情報ＤＢ
２０        検索処理サーバ
２１        検索情報ＤＢ
３０        消費者端末
３１        店舗端末
１００      履歴情報提供システム
【図１】
2008052460.tif 000003
【図２】
2008052460.tif 000004
【図３】
2008052460.tif 000005
【図４】
2008052460.tif 000006
【図５】
2008052460.tif 000007